【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
一連の画像を順番に表示装置に表示する画像処理装置であって、
前記画像の中から切り出して表示する表示領域を設定する領域設定手段と、
前記一連の画像の切り替え速度を設定する速度設定手段と、
前記一連の画像を順番に表示装置に表示している最中に、前記速度設定手段により切り替え速度が変更された場合に、変更後の前記切り替え速度に応じて前記表示領域として切り出される領域を変更する変更手段と、を有し、
前記変更手段は、変更後の前記切り替え速度が速いほど前記画像から切り出される領域が広くなるように、前記表示領域を変更する
ことを特徴とする画像処理装置。
【請求項２】
前記一連の画像は、複数のフレームで構成される動画像であり、前記切り替え速度は、動画の再生速度である
ことを特徴とする請求項１記載の画像処理装置。
【請求項３】
前記動画像は、全天球動画である
ことを特徴とする請求項２記載の画像処理装置。
【請求項４】
前記一連の画像は、複数の静止画像であり、前記切り替え速度は、前記静止画像の表示の切り替え速度である
ことを特徴とする請求項１記載の画像処理装置。
【請求項５】
前記複数の静止画像は、連写した静止画像である
ことを特徴とする請求項４記載の画像処理装置。
【請求項６】
前記速度設定手段は、スライダーである
ことを特徴とする請求項１乃至５のいずれか１項に記載の画像処理装置。
【請求項７】
前記変更手段は、前記切り替え速度の倍率に比例して、前記表示領域として切り出される領域の縦又は横の長さを変更する
ことを特徴とする請求項１乃至６のいずれか１項に記載の画像処理装置。
【請求項８】
前記変更手段は、前記切り替え速度の倍率に比例して、前記表示領域として切り出される領域の面積を変更する
ことを特徴とする請求項１乃至６のいずれか１項に記載の画像処理装置。
【請求項９】
前記変更手段は、変更後の前記切り替え速度が前記表示領域に応じて定められた所定の閾値以上の場合に、前記表示領域として切り出される領域を変更する
ことを特徴とする請求項１乃至６のいずれか１項に記載の画像処理装置。
【請求項１０】
前記切り替え速度の前記閾値は、前記表示領域として切り出される領域が広いほど大きい
ことを特徴とする請求項９記載の画像処理装置。
【請求項１１】
一連の画像を順番に表示装置に表示する画像処理方法であって、
前記画像の中から切り出して表示する表示領域を設定するステップと、
前記一連の画像の切り替え速度を設定するステップと、
前記一連の画像を順番に表示装置に表示している最中に、前記切り替え速度が変更された場合に、変更後の前記切り替え速度に応じて前記表示領域として切り出される領域を変更するステップと、を有し、
前記表示領域を変更するステップでは、変更後の前記切り替え速度が速いほど前記表示領域として切り出される領域が広くなるように、前記表示領域を変更する
ことを特徴とする画像処理方法。
【請求項１２】
前記一連の画像は、複数のフレームで構成される動画像であり、前記切り替え速度は、動画の再生速度である
ことを特徴とする請求項１１記載の画像処理方法。
【請求項１３】
前記動画像は、全天球動画である
ことを特徴とする請求項１２記載の画像処理方法。
【請求項１４】
前記一連の画像は、複数の静止画像であり、前記切り替え速度は、前記静止画像の表示の切り替え速度である
ことを特徴とする請求項１１記載の画像処理方法。
【請求項１５】
前記複数の静止画像は、連写した静止画像である
ことを特徴とする請求項１４記載の画像処理方法。
【請求項１６】
前記表示領域を変更するステップでは、前記切り替え速度の倍率に比例して、前記表示領域として切り出される領域の縦又は横の長さを変更する
ことを特徴とする請求項１１乃至１５のいずれか１項に記載の画像処理方法。
【請求項１７】
前記表示領域を変更するステップでは、前記切り替え速度の倍率に比例して、前記表示領域として切り出される領域の面積を変更する
ことを特徴とする請求項１１乃至１５のいずれか１項に記載の画像処理方法。
【請求項１８】
前記表示領域を変更するステップでは、変更後の前記切り替え速度が前記表示領域に応じて定められた所定の閾値以上の場合に、前記表示領域として切り出される領域を変更する
ことを特徴とする請求項１１乃至１５のいずれか１項に記載の画像処理方法。
【請求項１９】
前記切り替え速度の前記閾値は、前記表示領域が広いほど大きい
ことを特徴とする請求項１８記載の画像処理方法。
【請求項２０】
一連の画像を順番に表示装置に表示する際に、コンピュータに、
前記画像の中から切り出して表示する表示領域を設定するステップと、
前記一連の画像の切り替え速度を設定するステップと、
前記一連の画像を順番に表示装置に表示している最中に、前記切り替え速度が変更された場合に、変更後の前記切り替え速度に応じて前記表示領域として切り出される領域を変更するステップであって、変更後の前記切り替え速度が速いほど前記表示領域として切り出される領域が広くなるように前記表示領域を変更する、ステップと、
を実行させるプログラム。
【請求項２１】
請求項２０に記載のプログラムを記録したコンピュータが読み取り可能な記憶媒体。
【手続補正２】
【補正対象書類名】明細書
【補正対象項目名】０００７
【補正方法】変更
【補正の内容】
【０００７】
本発明の一観点によれば、一連の画像を順番に表示装置に表示する画像処理装置であって、前記画像の中から切り出して表示する表示領域を設定する領域設定手段と、前記一連の画像の切り替え速度を設定する速度設定手段と、前記一連の画像を順番に表示装置に表示している最中に、前記速度設定手段により切り替え速度が変更された場合に、変更後の切り替え速度に応じて前記表示領域として切り出される領域を変更する変更手段と、を有し、前記変更手段は、変更後の前記切り替え速度が速いほど前記画像から切り出される領域が広くなるように、前記表示領域を変更する画像処理装置が提供される。
【手続補正３】
【補正対象書類名】明細書
【補正対象項目名】０００８
【補正方法】変更
【補正の内容】
【０００８】
また、本発明の他の一観点によれば、一連の画像を順番に表示装置に表示する画像処理方法であって、前記画像の中から切り出して表示する表示領域を設定するステップと、前記一連の画像の切り替え速度を設定するステップと、前記一連の画像を順番に表示装置に表示している最中に、前記切り替え速度が変更された場合に、変更後の前記切り替え速度に応じて前記表示領域として切り出される領域を変更するステップと、を有し、前記表示領域を変更するステップでは、変更後の前記切り替え速度が速いほど前記表示領域として切り出される領域が広くなるように、前記表示領域を変更する画像処理方法が提供される。
【手続補正４】
【補正対象書類名】明細書
【補正対象項目名】０００９
【補正方法】変更
【補正の内容】
【０００９】
また本発明の更に他の一観点によれば、一連の画像を順番に表示装置に表示する際に、コンピュータに、前記画像の中から切り出して表示する表示領域を設定するステップと、前記一連の画像の切り替え速度を設定するステップと、前記一連の画像を順番に表示装置に表示している最中に、前記切り替え速度が変更された場合に、変更後の切り替え速度に応じて前記表示領域として切り出される領域を変更するステップであって、変更後の前記切り替え速度が速いほど前記表示領域として切り出される領域が広くなるように前記表示領域を変更する、ステップと、を実行させるプログラムが提供される。